(57)【要約】【課題】流動体の容器外部への漏れを完全に防止する流動体吐出ポンプを提供する【解決手段】漏れ防止機構１３を構成する管状部材１３１は、ノズルヘッド２０の結合部２４と結合する第１支持部１３１ａと、流出弁機構１２を構成する流出弁座部材１２１の第２支持部ｂと、屈曲部が形成され、第１支持部１３１ａと第２支持部１３１ｂとを互いに離隔する方向に付勢する管状の連結部１３１ｃとを有する。また、漏れ防止機構１３を構成する当接部材１３２は、ノズルヘッド２０の固設部２５に固設される結合部１３２ａと、結合部１３２ａの下端に形成される蓋部１３２ｂとを有する。これらの管状部材１３１と当接部材１３２とは、これらの部材に負荷をかけることなく放置した状態において、蓋部１３２ｂが管状部材１３１の連結部１３１ｃにおける屈曲部１３１ｄの表面に当接するように組み合わされる。【選択図】        図９
2005029191.tif 000002
【特許請求の範囲】
【請求項１】
流動体貯留部の上方に配設されたノズルヘッドを押圧することにより、前記流動体貯留部内に貯留された流動体を前記ノズルヘッドから吐出させるための流動体吐出ポンプにおいて、
流入口と流出口とを有し、前記ノズルヘッドにより押圧されることにより、その内部に比較的大量の流動体を収納する拡張姿勢から、その内部に比較的少量の流動体を収納する縮小姿勢に変形する樹脂製の蛇腹部材と、
前記蛇腹部材の流入口に連結された樹脂製の流入弁機構と、
前記蛇腹部材の流出口に連結され、前記ノズルヘッドに対して相対的に移動可能な樹脂製の流出弁機構と、
前記ノズルヘッドに連結される第１の支持部と、前記流出弁機構に連結される第２の支持部と、屈曲部が形成され前記第１の支持部と前記第２の支持部とを互いに離隔する方向に付勢した状態で連結する管状の連結部とを有する管状部材と、
その一端が前記ノズルヘッドに連結され、前記管状部材の屈曲部に挿通される結合部と、前記結合部の他端に形成され、前記管状部材の連結部における屈曲部の表面に当接する蓋部とを有する当接部材とを備え、
前記ノズルヘッドが前記流出弁機構に対して下降することにより、前記管状部材における屈曲部と前記当接部材における蓋部とが離隔して流動体の流路を形成することを特徴とする流動体吐出ポンプ。
【請求項２】
請求項１に記載の流動体吐出ポンプにおいて、
前記流入弁機構は、流動体流入用の開口部が形成された弁座部材と、環状の支持部と前記支持部と複数の連結部を介して接続された弁部とを有する弁部材とから構成され、
前記流出弁機構は、流動体流出用の開口部が形成された弁座部材と、環状の支持部と前記支持部と複数の連結部を介して接続された弁部とを有する弁部材とから構成される流動体吐出ポンプ。
【請求項３】
請求項１または請求項２に記載の流動体吐出ポンプにおいて、
前記ノズルヘッドは、前記流出弁機構の相対的な移動量を制限するストッパを備える流動体吐出ポンプ。
【発明の詳細な説明】
【０００１】
【発明の属する技術分野】
この発明は、流動体貯留部の上方に配設されたノズルヘッドを押圧することにより、前記流動体貯留部内に貯留された流動体を前記ノズルヘッドから吐出させるための流動体吐出ポンプに関する。
【０００２】
【従来の技術】
このような流動体吐出ポンプとしては、例えば特許文献１に記載されるように、流動体を吐出するためのノズルヘッドと、流動体を貯留する流動体貯留部と、この流動体貯留部の上方に配設されたシリンダと、ノズルヘッドを押圧することによりシリンダ内を往復移動可能なピストンと、流動体貯留部に貯留された流動体をピストンの上昇動作に伴ってシリンダ内に流入させるための流入弁機構と、シリンダ内に流入した流動体をピストンの下降動作に伴ってノズルヘッドに流出させるための流出弁機構とを備えたものが使用されている。
【０００３】
【特許文献１】
特開２００１−２１３４６５号公報
【０００４】
【発明が解決しようとする課題】
しかしながら、特許文献１に記載される流動体ポンプは、ノズルヘッドへの押圧を解除した後においても、一旦ノズルヘッド内に流入した流動体が外部へ漏れる恐れがある。このような現象は、流動体吐出ポンプのコストを低減するために樹脂製の弁機構を使用したときに特に問題となる。
【０００５】
この発明は、以上のような課題を解決するためになされたものであり、流動体の容器外部への漏れを完全に防止する流動体吐出ポンプを提供することを目的とする。
【０００６】
【課題を解決するための手段】
請求項１に記載の発明は、流動体貯留部の上方に配設されたノズルヘッドを押圧することにより、前記流動体貯留部内に貯留された流動体を前記ノズルヘッドから吐出させるための流動体吐出ポンプにおいて、流入口と流出口とを有し、前記ノズルヘッドにより押圧されることにより、その内部に比較的大量の流動体を収納する拡張姿勢から、その内部に比較的少量の流動体を収納する縮小姿勢に変形する樹脂製の蛇腹部材と、前記蛇腹部材の流入口に連結された樹脂製の流入弁機構と、前記蛇腹部材の流出口に連結され、前記ノズルヘッドに対して相対的に移動可能な樹脂製の流出弁機構と、前記ノズルヘッドに連結される第１の支持部と、前記流出弁機構に連結される第２の支持部と、屈曲部が形成され前記第１の支持部と前記第２の支持部とを互いに離隔する方向に付勢した状態で連結する管状の連結部とを有する管状部材と、その一端が前記ノズルヘッドに連結され、前記管状部材の屈曲部に挿通される結合部と、前記結合部の他端に形成され、前記管状部材の連結部における屈曲部の表面に当接する蓋部とを有する当接部材とを備え、前記ノズルヘッドが前記流出弁機構に対して下降することにより、前記管状部材における屈曲部と前記当接部材における蓋部とが離隔して流動体の流路を形成することを特徴とする。
【０００７】
請求項２に記載の発明は、請求項１に記載の流動体吐出ポンプにおいて、前記流入弁機構は、流動体流入用の開口部が形成された弁座部材と、環状の支持部と前記支持部と複数の連結部を介して接続された弁部とを有する弁部材とから構成され、前記流出弁機構は、流動体流出用の開口部が形成された弁座部材と、環状の支持部と前記支持部と複数の連結部を介して接続された弁部とを有する弁部材とから構成される。
【０００８】
請求項３に記載の発明は、請求項１または請求項２に記載の流動体吐出ポンプにおいて、前記ノズルヘッドは、前記流出弁機構の相対的な移動量を制限するストッパを備える。
【０００９】
【発明の実施の形態】
以下、この発明の実施の形態を図面に基づいて説明する。図１乃至図３は、この発明の第１実施形態に係る流動体吐出ポンプ１０を適用した流動体容器を示す縦断面図である。なお、図１はノズルヘッド２０に応力を付与することなく放置した状態を、図２はノズルヘッド２０に押圧した状態を、また、図３はノズルヘッド２０への押圧を解除した状態を示している。
【００１０】
この流動体容器は、美容の分野で使用されるヘアージェルやクレンジングジェル等の一般にジェルと呼称されるゲル（ｇｅｌ）、または、栄養クリームやマッサージクリーム等のクリーム状物、あるいは、化粧水等の液体などを貯留するための化粧品用の容器として使用されるものである。なお、この流動体容器を、一般の薬品や溶剤あるいは食品等の容器として使用してもよい。この明細書においては、高粘度の液体や半流動体あるいはゾルがジェリー状に固化したゲルやクリーム状物等と通常の液体とを含めて流動体と呼称する。
【００１１】
この流動体容器は、この発明に係る流動体吐出ポンプ１０と、ノズルヘッド２０と、外蓋３０と、その内部に流動体を貯留する流動体貯留部４０とから構成される。
【００１２】
なお、この明細書においては、図１および図２における上下方向を流動体容器における上下方向と規定する。すなわち、この発明に係る流動体容器においては、図１に示すノズルヘッド２０側を上方向とし、ピストン部材４２側を下方向とする。
【００１３】
ノズルヘッド２０は、流動体を吐出するための吐出部２１と、流動体の吐出時に押圧される押圧部２２と、流出弁座部材１２１と摺動可能に係合される摺動領域２３と、結合部２４と、固設部２５とを有している。
【００１４】
ここで、流出弁座部材１２１は、後に詳細に説明する流出弁機構１２を構成する。また、結合部２４は、後に詳細に説明する漏れ防止機構１３における管状部材１３１と結合するためのものであり、固設部２５は、漏れ防止機構１３における当接部材１３２を固定するためのものである。
【００１５】
なお、摺動領域２３の上限には、ノズルヘッド２０に対する流出弁機構１２の相対的な移動の上限を規制するための上限ストッパ２３ａが、摺動領域２３の下限には、ノズルヘッド２０に対する流出弁機構１２の相対的な移動の下限を規制するための下限ストッパ２３ｂが形成される。これにより、後に詳細に説明するように、蛇腹部材１６に対して、適当な押圧力を加えることができ、また、管状部材１３１の付勢力が大きい場合においても、ノズルヘッド２０と流出弁機構１２との相対的な移動を適当な位置で停止させることができる。
【００１６】
また、外蓋３０は、ネジ部材を介して流動体貯留部４０の上端に形成されたネジ部と係合されている。
【００１７】
流動体貯留部４０は、円筒状のシリンダ部材４１と、このシリンダ部材４１内を上下方向に移動するピストン部材４２と、複数の通気孔４３ａが形成される内蓋４３と、外蓋４４とを有している。この流動体貯留部４０におけるシリンダ部材４１と流動体吐出ポンプ１０とは、パッキング１７を介して液密な状態で接続されている。なお、この流動体吐出ポンプ１０のシリンダ部材と接続される流入弁機構１１に、十分な弾力性がある場合においては、パッキング１７を省略してもよい。
【００１８】
外蓋４４は、シリンダ部材４１の下部に内蓋４３を挟んだ状態で嵌着される。内蓋４３には、流動体容器内のピストン部材４２の最下位を位置決めするための底上部４３ｂが形成される。この底上部４３ｂの高さを変化させることにより、流動体容器内に貯留可能な流動体量を変化させることができる。
【００１９】
また、外蓋４４の中央部には孔４４ａが形成される。このため、流動体容器外部と内蓋４３の通気孔４３ａとの間で空気が流通可能となっている。
【００２０】
図１乃至図３に示すように、この流動体容器においては、ノズルヘッド２０における押圧部２２を押圧して上下方向に往復移動させることにより、後程詳細に説明する流動体吐出ポンプ１０の作用で、流動体貯留部４０内に貯留された流動体がノズルヘッド２０におけると吐出部２１から吐出される。そして、流動体貯留部４０内の流動体の減少に伴って、ピストン部材４２はシリンダ部材４１内をノズルヘッド２０方向に移動する。
【００２１】
次に、この発明の第１実施形態に係る流動体吐出ポンプ１０の構成について説明する。
【００２２】
流動体吐出ポンプ１０は、流入口１６ａと流出口１６ｂ（図９参照）とを有する樹脂製の蛇腹部材１６と、蛇腹部材１６の流入口１６ａに固定される樹脂製の流入弁機構１１と、蛇腹部材１６の流出口１６ｂに固定される樹脂製の流出弁機構１２と、ノズルヘッド２０が押圧された場合にのみ開口する漏れ防止機構１３とを備える。
【００２３】
この流入弁機構１１は、流動体貯留部４０に貯留された流動体を蛇腹部材１６の拡張動作に伴って、流動体吐出ポンプ１０内に流入させるためのものであり、流出弁機構１２は、流動体吐出ポンプ１０内に流入した流動体を蛇腹部材１６の縮小動作に伴って、ノズルヘッド２０に流出させるためのものである。また、漏れ防止機構１３は、ノズルヘッド２０における押圧部２２が押圧される場合にのみ流動体吐出ポンプ１０とノズルヘッド２０との間を開放するためのものである。
【００２４】
図４（ａ）は、流動体吐出ポンプ１０における流入弁機構１１を構成する流出弁座部材１１１を示す平面図、図４（ｂ）は図４（ａ）のＡ−Ａ断面を示す断面図であり、図４（ｃ）はその裏面図である。図５（ａ）は、流動体吐出ポンプ１０における流入弁機構１１を構成する流入弁座部材１１２を示す平面図、図５（ｂ）は図５（ａ）のＡ−Ａ断面を示す断面図であり、図５（ｃ）はその裏面図である。
【００２５】
図４に示すように、流入弁座部材１１１は、流動体貯留部４０内の流動体を流入させるための開口部１１１ａと、後述する流入弁部材１１２と結合する結合部１１１ｂとを備える。
【００２６】
図５に示すように、流入弁部材１１２は、流入弁座部材１１１の開口部１１１ａと対応する形状を有する弁体１１２ａと、流入弁座部材１１１の結合部１１１ｂを固定する支持部１１２ｂと、弁体１１２ａと支持部１１２ｂとを連結する４個の連結部１１２ｃとを備える。この４個の連結部１１２ｃは、各々、一対の屈曲部１１２ｄを有することによりより好適な可撓性を有する。
【００２７】
図６は、流動体吐出ポンプ１０における流出弁機構１２を構成する流出弁部材１２２および流出弁座部材１２１を示す説明図である。なお、図６（ａ）は流出弁部材１２２を平面視した状態を、図６（ｂ）は流出弁部材１２２および流出弁座部材１２１を組み立てる状態を示している。また、図６（ｂ）においては、流出弁部材１２２はその側面を、また、流出弁座部材１２１はその断面を示している。
【００２８】
図６に示すように、流出弁座部材１２１は、その底部に弁座として機能する円形の開口部１２１ａ、その内面上方に一対の凸部１２１ｂ、また、その外面上方にノズルヘッド２０の移動を案内する凸形状の案内部１２１ｃを備える。さらに、流出弁機構１２１の上部には、後に詳細に説明する漏れ防止機構１３を構成する管状部材１３１と結合するための結合部１２１ｄが形成される。
【００２９】
一方、流出弁部材１２２は、流出弁座部材１２１における円形の開口部１２１ａと対応する形状を有する弁体１２２ａと、流出弁座部材１２１の内部に配置される環状の支持部１２２ｂと、支持部１２２ｂと弁体１２２ａとを連結する４個の連結部１２２ｃとを有する。４個の連結部１２２ｃは、各々、一対の屈曲部１２２ｄを有する。この流出弁部材１２２においては、４個の連結部１２２ｃの可撓性により、弁体１２２ａが、当該弁体１２２ａが流出弁座部材１２１における開口部１２１ａを閉鎖する閉鎖位置と開口部１２１ａを開放する開放位置との間で移動可能に構成されている。
【００３０】
流出弁部材１２２における支持部１２２ｂの外周面には、一対の凹部１２２ｅが形成されている。このため、この流出弁部材１２２を流出弁座部材１２１内に挿入した場合においては、流出弁座部材１２１における一対の凸部１２１ｂと流出弁部材１２２における一対の凹部１２２ｅとが互いに係合し、流出弁部材１２２は流出弁座部材１２１内において固定される。
【００３１】
図７（ａ）は、この発明の第１実施形態に係る流動体容器に適用される漏れ防止機構１３を構成する管状部材１３１を示す平面図、図７（ｂ）は、その側面図、図７（ｃ）は、その側断面図である。また、図８（ａ）は、この発明の第１実施形態に係る流動体容器に適用される漏れ防止機構１３を構成する当接部材１３２を示す平面図、図８（ｂ）は、その側面図である。
【００３２】
図７に示すように、管状部材１３１は、ノズルヘッド２０の結合部２４と結合する第１支持部１３１ａと、流出弁機構１２を構成する流出弁座部材１２１の第２支持部ｂと、屈曲部１３１ｄが形成される管状の連結部１３１ｃとを有する。この連結部１３１ｃは、第１支持部１３１ａと第２支持部１３１ｂとを互いに離隔する方向に付勢する。
【００３３】
図８に示すように、当接部材１３２は、ノズルヘッド２０の固設部２５に固設される結合部１３２ａと、結合部１３２ａの下端に形成される蓋部１３２ｂとを有する。
【００３４】
これらの管状部材１３１と当接部材１３２とは、当接部材１３２の結合部１３２ａが管状部材１３１の屈曲部１３１ｄに挿通され、これらの部材に対して負荷をかけることなく放置した状態において、蓋部１３２ｂが管状部材１３１の連結部１３１ｃにおける屈曲部１３１ｄの表面に当接するように組み合わされる。
【００３５】
この蓋部１３２ｂは、管状部材１３１の連結部１３１ｃに対して負荷をかけることなく放置した状態における形状と一致する形状を有する。このため、流動体の漏れを防止するために十分な液密性を確保することができる。
【００３６】
図９乃至図１１は、この発明の第１実施形態に係る流動体吐出ポンプ１０をノズルヘッド２０とともに示す縦断面図である。なお、図９は、ノズルヘッド２０に応力を付与することなく放置した状態を、図１０は、ノズルヘッド２０における押圧部２２が押圧されることにより、蛇腹部材１６が、その内部に比較的大量の流動体を収納する拡張姿勢から、その内部に比較的少量の流動体を収納する縮小姿勢に変形しつつある状態を、図１１は、ノズルヘッド２０における押圧部２２への押圧が解除されることにより、蛇腹部材１６が、縮小姿勢から再び拡張姿勢に変形しつつある状態を示している。
【００３７】
図１０に示すように、ノズルヘッド２０における押圧部２２が押圧されたときには、ノズルヘッド２０は、管状部材１３１の付勢力に抗して、流動体吐出ポンプ１０を構成する流出弁機構１１に対して相対的に下方に移動する。これにより、管状部材１３１の連結部１３１ｃにおける屈曲部１３１ｄと漏れ防止機構１３を構成する当接部材１３２における蓋部１３２ｂとが離隔し、流動体の流通経路を形成する。
【００３８】
ノズルヘッド２０がさらに移動を続けると、流出弁機構１２を構成する流出弁座部材１２１の案内部１２１ｃが、ノズルヘッド２０における上限ストッパ２３ａに当接する。この当接の後、ノズルヘッド２０と流出弁機構１２とは、一体となって下方に移動する。
【００３９】
このため、蛇腹部材１６が押圧され、蛇腹部材１６内の容積が縮小し、流動体吐出ポンプ１０内が加圧される。これにより、流入弁部材１１２の弁体１１２ａが流入弁座部材１１１の開口部１１１ａと当接する位置に配置され、開口部１１１ａは閉止されるとともに、流出弁部材１２２の弁体１２２ａが流出弁座部材１２１の開口部１２１ａから離隔する位置に配置され、開口部１２１ａは開放される。このため、流動体吐出ポンプ１０内の流動体が、ノズルヘッド２０の吐出部２１へ流出する。
【００４０】
また、図１１に示すように、ノズルヘッド２０における押圧部２２への押圧が解除されたときには、ノズルヘッド２０は、管状部材１３１の付勢力により、流動体吐出ポンプ１０を構成する流出弁機構１２に対して相対的に上方に移動する。そして、流出弁機構１２を構成する流出弁座部材１２１の案内部１２１ｃが、ノズルヘッド２０における下限ストッパ２３ｂに当接する。これにより、漏れ防止機構１３を構成する当接部材１３２における蓋部１３２ｂが管状部材１３１の連結部１３１ｃにおける屈曲部１３１ｄの表面と再び当接し、流動体が流出が完全に遮断された状態となる。
【００４１】
この当接の後、蛇腹部材１６の復元力により、ノズルヘッド２０と流出弁機構１２とは、一体となって上方に移動する。このため、蛇腹部材１６内の容積が拡張し、流動体吐出ポンプ１０内が減圧される。これにより、流入弁部材１１２の弁体１１２ａが流入弁座部材１１１の開口部１１１ａから離隔する位置に配置されるとともに、流出弁部材１２２の弁体１２２ａが流出弁座部材１２１の開口部１２１ａと当接する位置に配置される。このため、流動体貯留部４０内の流動体が流動体吐出ポンプ１０内へ流入する。
【００４２】
次に、この発明の第２実施形態に係る流動体容器について図面に基づいて説明する。図１２（ａ）は、この発明の第２実施形態に係る漏れ防止機構１３における当接部材１３３を示す平面図であり、図１２（ｂ）は、図１２（ａ）におけるＡ−Ａ断面を示す断面図である。
【００４３】
また、図１３乃至図１５は、この発明の第２実施形態に係る流動体吐出ポンプ１０をノズルヘッド２０とともに示す縦断面図である。このうち、図１３は、ノズルヘッド２０に応力を付与することなく放置した状態を、図１４は、ノズルヘッド２０における押圧部２２が押圧されることにより、蛇腹部材１６が、その内部に比較的大量の流動体を収納する拡張姿勢から、その内部に比較的少量の流動体を収納する縮小姿勢に変形しつつある状態を、図１５は、ノズルヘッド２０における押圧部２２への押圧が解除されることにより、蛇腹部材１６が、再び拡張姿勢に変形しつつある状態を示している。図１３乃至図１５は、なお、上述した第１実施形態と同一の部材については、同一の符号を付して説明を省略する。
【００４４】
図１２に示すように、当接部材１３３は、ノズルヘッド２０の固設部２５に固設される結合部１３３ａと、結合部１３３ａの下端に形成される蓋部１３３ｂとを有する。
【００４５】
この発明の第１実施形態に係る流動体容器は、漏れ防止機構１３が管状部材１３１と当接部材１３２とから構成されるのに対し、この発明の第２実施形態に係る流動体容器は、漏れ防止機構１３が管状部材１３１と当接部材１３３とから構成される点で異なる。すなわち、当接部材１３２は、その蓋部１３２ｂが管状部材１３１の連結部１３１ｃの自然状態における形状と一致する形状を有するが、当接部材１３３は、その蓋部１３３ｂが管状部材１３１の連結部１３１ｃの一部の内周面と当接する形状を有する。
【００４６】
このため、図１４に示すように、漏れ防止機構１３の流動体の流通経路形成時には、一時に流通経路を形成させることができ、流動体をスムースに流出させることができる。
【００４７】
なお、先に説明した上限ストッパ２３ａおよび下限ストッパ２３ｂは、ノズルヘッド２０と流出弁機構１２との相対的な移動量を制限するためのものであり、ノズルヘッド２０の摺動領域２３に形成されているが、ノズルヘッド２０と流出弁機構１２との相対的な移動を規制する部材であれば、他の形状を有することとしてもよく、また、他の部材に形成されることとしてもよい。これらの上限ストッパ２３ａおよび下限ストッパ２３ｂは、ノズルヘッド２０と流出弁機構１２との相対的な移動量を制限するための移動量規制手段として機能する。
【００４８】
【発明の効果】
請求項１に記載の発明によれば、ノズルヘッドに対して相対的に移動可能な樹脂製の流出弁機構と、ノズルヘッドに連結される第１の支持部と、流出弁機構に連結される第２の支持部と、屈曲部が形成され前記第１の支持部と第２の支持部とを互いに離隔する方向に付勢した状態で連結する管状の連結部とを有する管状部材と、その一端が前記ノズルヘッドに連結され、管状部材の屈曲部に挿通される結合部と、結合部の他端に形成され、管状部材の連結部における屈曲部の表面に当接する蓋部とを有する当接部材とを備え、ノズルヘッドが流出弁機構に対して下降することにより、管状部材における屈曲部と当接部材における蓋部とが離隔して流動体の流路を形成することから、流動体の容器外部への漏れを完全に防止することが可能となる。
【００４９】
請求項２に記載の発明によれば、流入弁機構は、流動体流入用の開口部が形成された弁座部材と、環状の支持部と支持部と複数の連結部を介して接続された弁部とを有する弁部材とから構成され、流出弁機構は、流動体流出用の開口部が形成された弁座部材と、環状の支持部と支持部と複数の連結部を介して接続された弁部とを有する弁部材とから構成されることから、簡易な構成でありながら、流動体の容器外部への漏れを完全に防止することが可能となる。
【００５０】
請求項３に記載の発明によれば、ノズルヘッドは、流出弁機構の相対的な移動量を制限するストッパを備えることから、蛇腹部材に対して、適当な押圧力を加えることができる。また、管状部材の付勢力が大きい場合においても、ノズルヘッドと流出弁機構との相対的な移動を適当な位置で停止させることができる。
【図面の簡単な説明】
【図１】この発明の第１実施形態に係る流動体吐出ポンプ１０を適用した流動体容器を示す縦断面図である。
【図２】この発明の第１実施形態に係る流動体吐出ポンプ１０を適用した流動体容器を示す縦断面図である。
【図３】この発明の第１実施形態に係る流動体吐出ポンプ１０を適用した流動体容器を示す縦断面図である。
【図４】流動体吐出ポンプ１０における流入弁機構１１を構成する流出弁座部材１１１を示す説明図である。
【図５】流動体吐出ポンプ１０における流入弁機構１１を構成する流入弁座部材１１２を示す説明図である。
【図６】流動体吐出ポンプ１０における流出弁機構１２を構成する流出弁部材１２２および流出弁座部材１２１を示す説明図である。
【図７】この発明の第１実施形態に係る流動体容器に適用される漏れ防止機構１３を構成する管状部材１３１を示す説明図である。
【図８】この発明の第１実施形態に係る流動体容器に適用される漏れ防止機構１３を構成する当接部材１３２を示す説明図である。
【図９】この発明の第１実施形態に係る流動体吐出ポンプ１０をノズルヘッド２０とともに示す縦断面図である。
【図１０】この発明の第１実施形態に係る流動体吐出ポンプ１０をノズルヘッド２０とともに示す縦断面図である。
【図１１】この発明の第１実施形態に係る流動体吐出ポンプ１０をノズルヘッド２０とともに示す縦断面図である。
【図１２】この発明の第２実施形態に係る漏れ防止機構１３における当接部材１３３を示す説明図である。
【図１３】この発明の第２実施形態に係る流動体吐出ポンプ１０をノズルヘッド２０とともに示す縦断面図である。
【図１４】この発明の第２実施形態に係る流動体吐出ポンプ１０をノズルヘッド２０とともに示す縦断面図である。
【図１５】この発明の第２実施形態に係る流動体吐出ポンプ１０をノズルヘッド２０とともに示す縦断面図である。
【符号の説明】
１０      流動体吐出ポンプ
１１      流入弁機構
１２      流出弁機構
１３      漏れ防止機構
１６      蛇腹部材
１６ａ    流入口
１６ｂ    流出口
１７      パッキング
２０      ノズルヘッド
２１      吐出部
２２      押圧部
２３      移動領域
２３ａ    上限ストッパ
２３ｂ    下限ストッパ
２４      結合部
２５      固設部
３０      蓋部材
４０      流動体貯留部
４１      シリンダ部材
４２      ピストン部材
４３      内蓋
４３ａ    通気孔
４３ｂ    底上部
４４      外蓋
４４ａ    孔
１１１    流入弁座部材
１１１ａ  開口部
１１１ｂ  結合部
１１２    流入弁部材
１１２ａ  弁体
１１２ｂ  支持部
１１２ｃ  連結部
１２１    流出弁座部材
１２１ａ  開口部
１２１ｂ  凸部
１２１ｃ  案内部
１２１ｄ  結合部
１２２    流出弁部材
１２２ａ  弁体
１２２ｂ  支持部
１２２ｃ  連結部
１２２ｄ  屈曲部
１２２ｅ  凹部
１３１    管状部材
１３１ａ  第１支持部
１３１ｂ  第２支持部
１３１ｃ  連結部
１３１ｄ  屈曲部
１３２    当接部材
１３２ａ  結合部
１３２ｂ  蓋部
１３３    当接部材
１３３ａ  結合部
１３３ｂ  蓋部
【図１】
2005029191.tif 000003
【図２】
2005029191.tif 000004
【図３】
2005029191.tif 000005
【図４】
2005029191.tif 000006
【図５】
2005029191.tif 000007
【図６】
2005029191.tif 000008
【図７】
2005029191.tif 000009
【図８】
2005029191.tif 000010
【図９】
2005029191.tif 000011
【図１０】
2005029191.tif 000012
【図１１】
2005029191.tif 000013
【図１２】
2005029191.tif 000014
【図１３】
2005029191.tif 000015
【図１４】
2005029191.tif 000016
【図１５】
2005029191.tif 000017